(57)【要約】【課題】装置の大型化を避け、良好な導電性と防水性とを両立させることができる端子および携帯端末装置を提供する。【解決手段】メッキが付着する第１の材料と、メッキが付着しない第２の材料とが２色成型された端子基体にメッキ加工が施されてなる。例えば、ＡＢＳ樹脂とＰＣ樹脂とを２色成型して端子基体を生成し、その端子基体にメッキ加工を施すことによって、ＡＢＳ樹脂の部分が導電性を有し、ＰＣ樹脂の部分が非導電性を有する端子が形成される。従来のように、端子基体に複数の板金を距離をあけて接着する必要がなく、部品数を減少させることができるとともに、プラス接点とマイナス接点とが確実に分極された均一な厚さの端子を生成することができる。【選択図】        図１６
2008130519.tif 000002
【特許請求の範囲】
【請求項１】
メッキが付着する第１の材料と、メッキが付着しない第２の材料とが２色成型された端子基体にメッキ加工が施されてなることを特徴とする端子。
【請求項２】
メッキが付着する第１の材料と、メッキが付着しない第２の材料とが２色成型された端子基体にメッキ加工が施されてなる端子を備えたことを特徴とする携帯端末装置。
【請求項３】
開口部が設けられた筐体を備え、
前記端子は、前記筐体の前記開口部に嵌め込まれたものであり、
前記筐体と前記開口部との隙間を塞ぐ防水部材を備えたことを特徴とする請求項２記載の携帯端末装置。
【請求項４】
前記端子は、前記筐体の前記開口部に、該開口部から前記第２の材料で成形された部分のみが露出するように嵌め込まれたものであることを特徴とする請求項３記載の携帯端末装置。
【請求項５】
前記防水部材は、前記端子の、前記開口部から露出する部分を取り囲むＯリングであることを特徴とする請求項３記載の携帯端末装置。
【請求項６】
前記端子は、電池用の端子であることを特徴とする請求項２記載の携帯端末装置。
【請求項７】
この携帯端末装置を振動させるバイブレータを備え、
前記端子は、前記バイブレータ用の接点も備えたものであることを特徴とする請求項６記載の携帯端末装置。
【発明の詳細な説明】
【技術分野】
【０００１】
本発明は、導電部と非導電部とを有する端子、およびそのような端子を備えた携帯端末装置に関する。
【背景技術】
【０００２】
従来、携帯電話機を使った通話や電子メールの送受信などによって、家族や友人とコミュニケーションを図ることが広く行われている。電話や電子メールなどといった通信手段を利用することによって、遠く離れた家族や友人などにも思い立ったその場で手軽に連絡を取ることができる。
【０００３】
また、近年では、携帯電話機やＰＤＡ（Ｐｅｒｓｏｎａｌ  Ｄｉｇｉｔａｌ  Ａｓｓｉｓｔａｎｔ）が、単なるコミュニケーション手段としてだけではなく、被写体を撮影する撮影装置や、Ｗｅｂサイトを閲覧するコンピュータや、外出先での目覚まし時計代わりなどとしても利用されてきている。このように、携帯端末装置が利用されるシーンが多様化してきたことに伴って、携帯端末装置に搭載される各種電子部品が増加してきており、携帯端末装置に防水機能を持たせる必要が生じてきている。特に、充電器と接続されて、携帯端末装置内に収容された充電池に電力を供給するための電池端子は、携帯端末装置の筐体外面に露出しているとともに、各種電子部品と接続されているため、筐体と電池端子との隙間を確実に防水することが求められている。
【０００４】
通常、電池端子は、非導電性を有する端子基体上にプラス接点とマイナス接点を形成する導電性の板金が貼り付けられて構成されており、携帯端末装置の筐体に設けられた開口部からプラス接点およびマイナス接点が露出するように、筐体に取り付けられることが一般的である。このような電池端子と開口部との隙間を防水する方法としては、プラス接点およびマイナス接点それぞれを防水部材で取り囲み、その防水部材を筐体と電池端子との間に挟み込むことが広く行われている（例えば、特許文献１、特許文献２、および特許文献３参照）。
【特許文献１】特開平６−２６３３０号公報
【特許文献２】特開平１０−１４４２７５号公報
【特許文献３】特開２００１−１８５２８０号公報
【発明の開示】
【発明が解決しようとする課題】
【０００５】
しかし、確実な通電性と防水性とを両立させるためには、端子基体上にプラス接点用およびマイナス接点用それぞれの板金を距離をあけて接着し、さらに、各板金を防水部材で取り囲んで広い接着面で接着する必要があり、装置が大型化してしまう。一方、装置の大型化を回避しようとして、防水部材の接着面を減少させると防水性が劣化し、防水部材の接着面を減少させずに、板金の露出部分を減少させると通電性が劣化してしまうという問題がある。
【０００６】
また、端子基体上に板金を接着して端子を形成する際に、板金や接着剤等の厚みを完全に均一にすることは困難であり、このような不均一な厚さの端子を確実に防水するためには、厚い防水部材を広い接着面で接着する必要があり、携帯端末装置が大型化してしまうという問題がある。
【０００７】
本発明は、上記事情に鑑み、装置の大型化を避け、良好な導電性と防水性とを両立させることができる端子および携帯端末装置を提供することを目的とする。
【課題を解決するための手段】
【０００８】
上記目的を達成する本発明の端子は、メッキが付着する第１の材料と、メッキが付着しない第２の材料とが２色成型された端子基体にメッキ加工が施されてなることを特徴とする。
【０００９】
メッキが付着する樹脂として、ＡＢＳ樹脂（アクリロニトル、ブタジエン、スチレンの共重合化合物）等が知られており、メッキが付着しない樹脂として、ＰＣ樹脂（ポリカーボネート）等が知られている。例えば、ＡＢＳ樹脂とＰＣ樹脂とを２色成型して端子基体を生成し、その端子基体にメッキ加工を施すことによって、ＡＢＳ樹脂の部分が導電性を有し、ＰＣ樹脂の部分が非導電性を有する端子が形成される。本発明の端子によると、従来のように、端子基体に複数の板金を距離をあけて接着する必要がなく、部品数を減少させることができるとともに、プラス接点とマイナス接点とが確実に分極された均一な厚さの端子を生成することができる。
【００１０】
また、上記目的を達成する本発明の携帯端末装置は、メッキが付着する第１の材料と、メッキが付着しない第２の材料とが２色成型された端子基体にメッキ加工が施されてなる端子を備えたことを特徴とする。
【００１１】
第１の材料と第２の材料とがメッキ加工された均一な厚さの端子が備えられることによって、装置の大型化を回避して、良好な導電性を得ることができる。
【００１２】
また、本発明の携帯端末装置は、開口部が設けられた筐体を備え、
上記端子は、筐体の開口部に嵌め込まれたものであり、
筐体と開口部との隙間を塞ぐ防水部材を備えたことが好ましい。
【００１３】
筐体と開口部との隙間が防水部材で塞がれることによって、開口部内への水の浸入を防ぐことができる。また、本発明の携帯端末装置では、薄型で均一な厚みの端子を生成することができるため、防水部材の厚さや接着面を抑えることができ、装置の小型化と確実な防水性とを両立させることができる。
【００１４】
また、本発明の携帯端末装置において、上記端子は、筐体の開口部に、開口部から第２の材料で成形された部分のみが露出するように嵌め込まれたものであることが好ましい。
【００１５】
良好な導電性を得るためには、端子の、導電性を有する部分が筐体の開口部からなるべく多く露出されることが好ましく、防水性の観点からは、筐体の開口部がなるべく小さいことが好ましい。これらのことから、筐体の開口部に、導電性を有する第２の材料で成形された部分のみが嵌め込まれることが好ましい。
【００１６】
また、本発明の携帯端末装置において、上記防水部材は、端子の、開口部から露出する部分を取り囲むＯリングであることが好ましい。
【００１７】
端子の、開口部がＯリングで取り囲まれることによって、開口部内への浸水を確実に防止することができる。
【００１８】
また、本発明の携帯端末装置において、上記端子は、電池用の端子であることが好ましい。
【００１９】
電池用の端子は、筐体から露出するとともに、携帯端末装置内の各種電子部品と接続されているため、確実な防水が求められており、本発明を好適に適用することができる。
【００２０】
また、本発明の携帯端末装置は、この携帯端末装置を振動させるバイブレータを備え、
上記端子は、上記バイブレータ用の接点も備えたものであることが好適である。
【００２１】
本発明の好適な携帯端末装置によると、部品数を減少させることができ、装置の小型化や製造コストの軽減を図ることができる。
【発明の効果】
【００２２】
本発明によれば、装置の大型化を避け、良好な導電性と防水性とを両立させることができる。
【発明を実施するための最良の形態】
【００２３】
以下図面を参照して本発明の実施の形態を説明する。
【００２４】
図１は、本発明の一実施形態が適用された携帯電話機の外観斜視図である。
【００２５】
図１に示す携帯電話機１００には、主に、外部装置との間で音声や電子メールなどを送受信するデータ通信機能と、被写体を撮影する撮影機能とが搭載されており、携帯電話機１００全体が防水機能を有している。
【００２６】
携帯電話機１００は、通話時にユーザが耳に当てる上部筐体１００Ａと、ユーザが手で持つ下部筐体１００Ｂとが、ヒンジ部１００Ｃを中心に折りたたみ自在に連結されている。ここでは、上部筐体１００Ａおよび下部筐体１００Ｂにおいて、携帯電話機１００を折りたたんだときに隠れる面を表面、携帯電話機１００を折りたたんだときに露出する、表面の裏側の面を裏面と称して説明する。上部筐体１００Ａおよび下部筐体１００Ｂは、本実施形態にいう筐体の一例に相当する。
【００２７】
上部筐体１００Ａの表面には、メニュー画面や、撮影画像などが表示される液晶パネル１０１、および内部にスピーカが配備され、スピーカから発せられる音声を放つための送話口１０２が備えられており、下部筐体１００Ｂの表面には、各種機能の選択や、撮影を行う際のシャッタボタンとして使用される選択ボタン１０４、電話番号等を入力するためのプッシュボタン１０５、および内部にマイクロフォンが配備され、声をマイクロフォンに伝えるための受話口１０６が備えられている。
【００２８】
図２は、上部筐体１００Ａの裏面を示す図である。
【００２９】
上部筐体１００Ａの裏面側には、バックライト（後述する）や裏面液晶パネル（後述する）が内蔵されており、それらバックライトや裏面液晶パネルの光が上部筐体１００Ａを透過することによって、時計や模様などが表示される。
【００３０】
図３は、下部筐体１００Ｂの裏面を示す図である。
【００３１】
下部筐体１００Ｂの裏面側には、充電時に外部の充電器に接続される充電端子１０８が備えられており、ヒンジ部１００Ｃに近い位置には、近距離用の無線通信によって画像やアドレス情報などを送受信するための近距離アンテナ１０９ａと、被写体光を結像する撮影レンズ１０９ｂが内蔵されている。また、図３には示されていないが、下部筐体１００Ｂの裏面側には、基地局を介して音声や電子メールなどのデータを送受信するための遠距離アンテナ１０７（図５参照）も内蔵されている。
【００３２】
携帯電話機１００を使って音声や電子メールなどを送信する際には、ユーザがプッシュボタン１０５を使って電話番号や電子メールアドレス等を入力すると、遠距離用の無線通信によってデータが指定された通信相手先に向けて発信される。携帯電話機１００から発信されたデータは、一旦、基地局で受信され、基地局から電話回線、ＬＡＮ回線、および別の基地局などを介して通信相手先に伝えられる。逆に、通信相手先から送信されてきたデータは、基地局で受信されて無線のデータに変換された後、携帯電話機１００に伝えられる。
【００３３】
また、携帯電話機１００を使って被写体を撮影する際には、ユーザが、撮影レンズ１０９ｂを被写体に向けて選択ボタン１０４を押すと、携帯電話機１００に内蔵されたカメラデバイス（図４参照）によって撮影が行われる。
【００３４】
続いて、携帯電話機１００の内部構造について説明する。
【００３５】
図４は、携帯電話機１００の内部ブロック図である。
【００３６】
図４には、ＣＰＵ１１０、ＲＯＭ１１１、不揮発メモリ１１２、ＲＡＭ１１３、マイクデバイス１２１、スピーカデバイス１２２、表面ディスプレイデバイス１３１、時計１３２、裏面ディスプレイデバイス１３３、カメラデバイス１４０、近距離無線デバイス１４１、遠距離通信デバイス１４２、バックライト１５１、キーデバイス１６１、開閉スイッチ１６２、メディアコントローラ１７０が示されており、これらの間はバスを介して互いに接続されている。また、携帯電話機１００には、記録メディア１７１および充電池１８０も接続されている。
【００３７】
ＣＰＵ１１０は、各種プログラムを実行する機能を有し、この携帯電話機１００の全体を制御している。
【００３８】
ＲＯＭ１１１には、ＣＰＵ１１０で実行される各種プログラムやそれら各種プログラムの実行に必要な各種定数が記憶されており、ＣＰＵ１１０は、ＲＯＭ１１１に記憶されたプログラムをＲＡＭ１１３を作業領域として使いながら実行する。
【００３９】
不揮発メモリ１１２には、アドレス帳や受信した電子メールなど、書き換えられることがありうる各種情報が記録されている。
【００４０】
マイクデバイス１２１は、ユーザの声をピックアップするマイクロホンおよびそのマイクロホンでピックアップされた声を処理する機能ブロックである。
【００４１】
スピーカデバイス１２２は、ユーザに向けて音声を出力するスピーカ、およびそのスピーカを駆動する音声信号を生成する機能ブロックである。
【００４２】
近距離無線デバイス１４１は、図３に示す近距離アンテナ１０９ａを使って、近距離にある外部装置に画像や電話番号などを基地局を介さずに送信するためのものであり、本実施形態においては、赤外線通信が採用されている。
【００４３】
カメラデバイス１４０は、写真撮影による画像データの収集を司るブロックであり、表面ディスプレイデバイス１３１は、図１に示す上部筐体１００Ａの表面に備えられた液晶パネル１０１への画像表示を司るブロックであり、時計１３２は、現在時刻を取得するためのブロックであり、裏面ディスプレイデバイス１３３は、図２に示す上部筐体１００Ａの裏面に内蔵された裏面液晶パネル（後述する）への画像表示を司るブロックであり、バックライト１５１は、上部筐体１００Ａの裏面に向けて光を発するものであり、キーデバイス１６１は、ユーザによる選択ボタン１０４やプッシュボタン１０５（図１参照）のキー操作を検出するブロックである。
【００４４】
開閉スイッチ１６２は、携帯電話機１００の上部筐体１００Ａと下部筐体１００Ｂが開かれると入り、それらが閉じられると切られるスイッチである。携帯電話機１００の上部筐体１００Ａと下部筐体１００Ｂが開かれて開閉スイッチ１６２が入ると、ＣＰＵ１１０は、上部筐体１００Ａの表面に設けられた液晶パネル１０１に時計などを表示させ、上部筐体１００Ａと下部筐体１００Ｂが閉じられて開閉スイッチ１６２が切られると、ＣＰＵ１１０は、上部筐体１００Ａの裏面に設けられたバックライト１５１を発光させるとともに、裏面液晶パネルに時計を表示させる。バックライト１５１および裏面液晶パネルについては、後で詳しく説明する。
【００４５】
メディアコントローラ１７０は、記録メディア１７１からデータを読み出したり、カメラデバイス１４０で生成された画像データ等を記録メディア１７１に書き込むためのものである。
【００４６】
また、遠距離通信デバイス１４２は、遠距離アンテナ１０７（図５参照）を介して電話の送受信や電子メールの送受信等を担っている。遠距離通信デバイス１４２から送信されたデータは、基地局を介して、他の電話機やパーソナルコンピュータなどに送られる。
【００４７】
携帯電話機１００は、基本的には以上のように構成されている。
【００４８】
以下では、図１に示す携帯電話機１００のヒンジ部１００Ｃ付近の構成、図２に示す上部筐体１００Ａの裏面側の構成、図４に示す充電池１８０付近の構成、および図３に示す充電端子１０８付近の構成について順に詳しく説明する。
【００４９】
まず、携帯電話機１００のヒンジ部１００Ｃ付近の構成について説明する。
【００５０】
図５は、携帯電話機１００のヒンジ部１００Ｃの分解斜視図である。
【００５１】
図１にも示す携帯電話機１００のヒンジ部１００Ｃは、上部筐体１００Ａと下部筐体１００Ｂとを回転自在に連結するヒンジ２１０と、ヒンジ２１０に対して装着されてヒンジ２１０を隠蔽するヒンジカバー２２０とで構成されている。ヒンジ２１０は、本実施形態にいうヒンジの一例にあたり、ヒンジカバー２２０は、本実施形態にいうヒンジカバーの一例に相当する。
【００５２】
下部筐体１００Ｂの裏面には、図３にも示す近距離アンテナ１０９ａと撮影レンズ１０９ｂが内蔵されており、さらに、下部筐体１００Ｂを締結するためのネジ１９０や、近距離アンテナ１０９ａと撮影レンズ１０９ｂを取り囲む遠距離アンテナ１０７などが取り付けられている。遠距離アンテナ１０７は、本実施形態にいうアンテナの一例にあたり、ネジ１９０は、本実施形態にいう締結部材の一例に相当する。
【００５３】
また、上部筐体１００Ａおよび下部筐体１００Ｂの連結面には、ヒンジ２１０が嵌め込まれる溝１００Ｅと、ヒンジ２１０を覆ってヒンジを回転自在に保持するヒンジ被覆部１００Ｄと、ヒンジカバー２２０に設けられた爪（後述する）が嵌め込まれる爪固定部１００１が形成されている。溝１００Ｅは、本実施形態にいう溝の一例に相当する。
【００５４】
ヒンジカバー２２０は、ヒンジ２１０の端を覆う端カバー部２２１と、ヒンジ２１０の外周面を隠蔽する外周カバー部２２２と、下部筐体１００Ｂの一部を覆う筐体カバー部２２３とで構成されており、外周カバー部２２２には、爪固定部１００１に嵌め込まれる爪（図示しない）が設けられている。外周カバー部２２２は、本実施形態にいう外周カバー部の一例にあたり、端カバー部２２１は、本実施形態にいう両端カバー部の一例に相当する。
【００５５】
図６は、ヒンジ部１００Ｃ付近の拡大図である。
【００５６】
図５の溝１００Ｅにヒンジ２１０が装着されると、上部筐体１００Ａおよび下部筐体１００Ｂに設けられたヒンジ被覆部１００Ｄがヒンジ２１０を覆い、上部筐体１００Ａと下部筐体１００Ｂがヒンジ２１０を軸に回転自在に連結される。
【００５７】
続いて、ヒンジカバー２２０の筐体カバー部２２３に両面テープが貼り付けられ、ヒンジ２１０の端と上部筐体１００Ａおよび下部筐体１００Ｂとの間の隙間Ｐにヒンジカバー２２０の端カバー部２２１が嵌め込まれる。その結果、ヒンジカバー２２０の筐体カバー部２２３が両面テープによって下部筐体１００Ｂに貼り付けられ、ヒンジカバー２２０に設けられた爪が爪固定部１００１に嵌め込まれて、ヒンジカバー２２０がヒンジ２１０、上部筐体１００Ａ、および下部筐体１００Ｂに装着される。
【００５８】
ヒンジカバー２２０が装着された携帯電話機１００は、ヒンジ被覆部１００Ｄとヒンジカバー２２０の外周カバー部２２２がヒンジ２１０の外周面を覆い、ヒンジカバー２２０の端カバー部２２１がヒンジ２１０の両端を覆い、ヒンジカバー２２０の筐体カバー部２２３が下部筐体１００Ｂに設けられたネジ１９０や遠距離アンテナ１０７を覆っている。
【００５９】
このように、本実施形態の携帯電話機１００によると、ヒンジの両端それぞれに個別のヒンジキャップを装着する必要がなく、ヒンジカバー２２０だけでヒンジを確実に隠蔽することができる。また、ヒンジカバー２２０で遠距離アンテナ１０７およびネジ１９０を覆うことによって、部品数を増加させずに、遠距離アンテナ１０７の汚れや破損を防止することができるとともに、携帯電話機１００の見た目を良くすることができる。
【００６０】
図７は、本実施形態の携帯電話機１００と、従来の携帯電話機１００´の外観図である。
【００６１】
従来の携帯電話機１００´は、ヒンジの外周面を覆うヒンジカバーとは別に、ヒンジの両端それぞれにヒンジキャップが装着されており、部品数が増加してしまう。また、ヒンジの両端それぞれにヒンジキャップを装着するためには、図７（Ａ）に示すように、上部筐体１００Ａ´および下部筐体１００Ｂ´の両端にまでヒンジ部１００Ｃ´を延ばす必要があり、携帯電話機１００´のデザインが限定されたり、携帯電話機１００´の薄型化が阻害されてしまうという問題もある。
【００６２】
図７（Ｂ）に示すように、本実施形態の携帯電話機１００は、ヒンジ２１０を確実に隠蔽することができるうえ、ヒンジ部１００Ｃの長さＷ１を上部筐体１００Ａおよび下部筐体１００Ｂの幅方向の長さＷ２よりも短くすることができ、携帯電話機１００のデザイン性を向上させ、携帯電話機１００を薄型化することができる。
【００６３】
ここで、携帯電話機１００は、ヒンジカバー２２０を取り外した状態で防水機能を有している。携帯電話機１００の製造工程においては、ヒンジカバー２２０を装着する前に防水検査が実行され、防水検査で合格した携帯電話機１００にヒンジカバー２２０が取り付けられて、最終的な製品が完成する。防水検査で不合格だった携帯電話機１００は、再調整工程に送られて再調整が行われ、再検査に合格した後でヒンジカバー２２０が取り付けられる。このように、ヒンジカバー２２０を取り外した状態で防水機能を有することによって、ヒンジカバー２２０を装着せずに防水検査を実行することができ、再調整工程で何度もヒンジカバー２２０を着脱する手間を省くことができる。
【００６４】
以上で、携帯電話機１００のヒンジ部１００Ｃ付近の構成の説明を終了し、続いて、上部筐体１００Ａの裏面側の構成について説明する。
【００６５】
図８は、上部筐体１００Ａの分解斜視図である。
【００６６】
上部筐体１００Ａは、内部に各種部品が収容されたケース３１０と、ケース３１０を覆うパネル３２０とで構成されている。ケース３１０には、穴３１１が形成されており、その穴３１１の内側に、図４にも示すバックライト１５１や裏面液晶パネル１５２が配置されている。また、パネル３２０は、アクリル製の薄い板に着色が施されたものであり、光透過性を有している。ケース３１０は、本実施形態にいう箱部の一例にあたり、パネル３２０は、本実施形態にいうパネルの一例にあたり、バックライト１５１は、本実施形態にいう光源の一例に相当する。
【００６７】
また、パネル３２０の、ケース３１０と対向する対向面には、光を遮る遮光板３３０が貼り付けられている。
【００６８】
図９は、パネル３２０の、ケース３１０と対向する対向面と、その対向面に貼り付けられる遮光板３３０を示す図である。
【００６９】
図９に示すように、パネル３２０の対向面には、白い塗料が塗布されてなる光拡散透過層３２１が形成されている。光拡散透過層３２１は、本実施形態にいう光拡散透過層の一例にあたる。
【００７０】
また、遮光板３３０には、図８に示すバックライト１５１および裏面液晶パネル１５２に対応する部分に貫通孔３３１，３３２が設けられており、バックライト１５１に対応する貫通孔３３１は、その周縁部分３３１´が、パネル３２０側に向かったテーパー状に形成されている。遮光板３３０は、本実施形態にいう遮光板の一例に相当する。
【００７１】
バックライト１５１から発せられた光は、遮光板３３０の貫通孔３３１を通過してパネル３２０の光拡散透過層３２１で拡散され、やわらいだ光がパネル３２０から透過される。また、バックライト１５１から発せられた光は、テーパー状の周縁部分３３１´で乱反射して拡散されるため、パネル３２０に、ぼんやりとした優しい光を表示させることができる。
【００７２】
また、バックライト１５１や裏面液晶パネル１５２に対応する部分を除く部分は遮光板３３０で覆われているため、ケース３１０に収容された各種部品がパネル３２０に透過されてしまう不具合を回避することができる。
【００７３】
さらに、パネル３２０の光拡散透過層３２１が白い塗料で塗布されているので、光拡散率が高められ、ケース３１０内の各種部品の隠蔽効果も高められている。
【００７４】
以上のように、本実施形態の携帯電話機１００によると、光を拡散させるすりガラスを備える必要がなく、装置の大型化やコストの上昇を抑えて、筐体内の部品が透けてしまう不具合を回避して優しい光を表示させることができる。
【００７５】
以上で、上部筐体１００Ａの裏面側の構成の説明を終了し、続いて、図４に示す充電池１８０付近の構成について説明する。
【００７６】
本実施形態においては、充電池１８０は下部筐体１００Ｂ内に着脱自在に収容されており、蓋およびカバーで覆われることによって防水加工が施されている。
【００７７】
図１０は、携帯電話機１００の下部筐体１００Ｂの、充電池１８０を覆う蓋４２０およびカバー４３０を取り外したときの分解斜視図である。
【００７８】
下部筐体１００Ｂには、開口部４１１と、シャフト受部４１０と、ガイド４１２が形成されており、開口部４１１に充電池１８０が嵌め込まれている。充電池１８０は、図３にも示す充電端子１０８に接続されるとともに、図４に示す携帯電話機１００を構成する各種要素とも接続されている。シャフト受部４１０は、シャフトが嵌め込まれるシャフト嵌合部と、蓋４２０が支持されるストッパとで構成されている。ガイド４１２は、カバー４３０の厚み分だけ内側に入り込んだ溝であり、カバー４３０がガイド４１２に沿ってスライドされる。シャフト受部４１０は、本実施形態にいうシャフト受部の一例にあたり、ガイド４１２は、本実施形態にいうガイドの一例にあたり、充電池１８０は、本実施形態にいう収容物の一例に相当する。
【００７９】
蓋４２０には、下部筐体１００Ｂのシャフト受部４１０に回転自在に装着されるシャフト４２１が取り付けられている。シャフト４２１は、シャフト受部４１０に着脱自在に装着され、蓋４２０は、下部筐体１００Ｂの開口部４１１を横開きに開閉する。シャフト４２１は、本実施形態にいうシャフトの一例にあたり、蓋４２０は、本発明にいう蓋の一例に相当する。
【００８０】
カバー４３０には、上部に爪４３０ａが設けられており、この爪４３０ａが下部筐体１００Ｂに設けられた爪固定部（図示しない）に嵌め込まれることによって、下部筐体１００Ｂに対して縦方向に着脱される。また、カバー４３０には、充電端子１０８が嵌め込まれる貫通孔４３１と、下部筐体１００Ｂに対してロックされるロック機構４３２が設けられている。ロック機構４３２は、本実施形態にいうロック機構の一例にあたり、カバー４３０は、本発明にいうカバーの一例に相当する。
【００８１】
カバー４３０は、上部に爪４３０ａが設けられており、下部筐体１００Ｂのガイド４１２に沿ってスライドされて、爪４３０ａが下部筐体１００Ｂに設けられた爪固定部（図示しない）に嵌め込まれることによって、下部筐体１００Ｂに対して着脱される。また、カバー４３０には、充電端子１０８が嵌め込まれる貫通孔４３１と、下部筐体１００Ｂに対してロックされるロック機構４３２が設けられている。ロック機構４３２は、本実施形態にいうロック機構の一例にあたり、カバー４３０は、本発明にいうカバーの一例に相当する。
【００８２】
まずは、蓋４２０について詳しく説明する。
【００８３】
図１１は、蓋４２０を開閉した状態を示す図である。
【００８４】
図１１（Ａ）には、蓋４２０を閉じた状態が示されている。蓋４２０は、カバー４３０と対向するカバー対向面４２０Ａが非浸水性を有する板金で構成されている。蓋４２０には、爪４２２が設けられており、蓋４２０が閉じられて下部筐体１００Ｂに向けて押されると、爪４２２が下部筐体１００Ｂに設けられた爪固定部（図示しない）に嵌め込まれて、蓋４２０が下部筐体１００Ｂに固定される。
【００８５】
また、図１１（Ｂ）には、蓋４２０を開けた状態が示されている。蓋４２０は、充電池１８０と対向する充電池対向部４２０Ｂが弾性材料で構成されており、下部筐体１００Ｂの開口部４１１を取り囲む、弾性材料で構成された凸部４２３が形成されている。さらに、充電池対向部４２０Ｂには、弾性材料で構成された複数の補助凸部４２３ａが備えられている。
【００８６】
続いて、カバー４３０について詳しく説明する。
【００８７】
図１２は、カバー４３０および下部筐体１００Ｂの、ロック機構４３２付近の拡大図であり、図１３は、カバー４３０の、下部筐体１００Ｂと対向する筐体対向面を示す図である。
【００８８】
図１２に示すように、下部筐体１００Ｂには、ロック機構４３２と対向する位置に、Ｌ字型の溝４２４が形成されている。
【００８９】
また、図１３に示すように、カバー４３０の筐体対向面には、下部筐体１００Ｂの溝４２４に嵌め込まれるロックレバー４３２ａが備えられており、蓋４２０に対向する部分には複数の凸部４３３が形成されている。カバー４３０が下部筐体１００Ｂに縦方向に装着され、ロック機構４３２を形成するロックレバー４３２ａが下部筐体１００Ｂの溝４２４に沿ってスライドされることによって、カバー４３０が下部筐体１００Ｂに対して確実にロックされる。
【００９０】
充電池１８０を携帯電話機１００に装着する際には、ユーザは、図１０に示す下部筐体１００Ｂの開口部４１１に充電池１８０を収容し、蓋４２０を閉めて、図１１に示す蓋４２０の爪４２２を下部筐体１００Ｂに固定し、図１０に示すカバー４３０を下部筐体１００Ｂのガイド４１２に沿ってスライドさせる。その結果、カバー４３０の爪４３０ａが下部筐体１００Ｂに設けられた爪固定部に嵌め込まれる。さらに、カバー４３０を下部筐体１００Ｂに嵌め込んで、ロック機構４３２をロックする。
【００９１】
図１４は、携帯電話機１００を、幅方向に切断したときの断面図である。
【００９２】
図１４に示すように、カバー４３０の凸部４３３が蓋４２０を押圧しており、その結果、蓋４２０の凸部４２３と、図１１に示す補助凸部４２３ａが下部筐体１００Ｂに向けて押し付けられている。蓋４２０の凸部４２３は、弾性材料で構成されており、充電池１８０が収容された下部筐体１００Ｂの開口部４１１を取り囲んでいるため、蓋４２０によって開口部４１１が隙間なく塞がれている。
【００９３】
このように、本実施形態の携帯電話機１００によると、ユーザは、蓋４２０を閉めてカバー４３０を装着するだけで、カバー４３０が蓋４２０を押圧して蓋４２０が開口部４１１を確実に塞ぐため、子供や年配者などといった力の弱いユーザでも、充電池１８０を容易に防水することができる。また、蓋４２０が、カバー４３０がスライドされる方向と同じ方向を軸に回転して開閉されることによって、カバー４３０着脱時に蓋４２０が開いてしまって、蓋４２０が破損してしまう不具合を回避することができる。
【００９４】
以上で、充電池１８０付近の構成の説明を終了し、続いて、図３に示す充電端子１０８付近の構成について説明する。
【００９５】
図１５は、下部筐体１００Ｂの分解斜視図である。
【００９６】
下部筐体１００Ｂには、通話機能などを実現するための各種電子部品を備えた本体基板５１０と、本体基板５１０と接続されるとともに、一部が下部筐体１００Ｂの裏面側に露出する充電端子１０８と、本体基板５１０との間に充電端子１０８を挟んで本体基板５１０に取り付けられる固定ケース５３０が備えられている。尚、下部筐体１００Ｂには、図１０に示す充電池１８０、蓋４２０、カバー４３０なども装着されるが、説明を簡略化するためにここでは図示を省略している。
【００９７】
本体基板５１０には、充電端子１０８を固定ケース５３０に向けて付勢する金属バネ５１１が備えられており、固定ケース５３０には、充電端子１０８の一部が嵌め込まれる開口部が形成されている。
【００９８】
また、充電端子１０８は、プラスチック製の基体上に、非導電性の非導電部分５２４と、導電性を有する、電池接点５２１、バイブレータ接点５２２、および電池接点５２１やバイブレータ接点５２２から繋がった接続部分５２３が形成されている。電池接点５２１には、その電池接点５２１を取り囲むＯリング６００が装着されている。Ｏリング６００は本実施形態にいうＯリングの一例にあたるとともに、本実施形態にいう防水部材の一例にも相当する。
【００９９】
図１６は、製造途中の充電端子１０８を示す図である。
【０１００】
図１６（Ａ）には、製造途中の充電端子１０８の上面図が示されており、図１６（Ｂ）には、製造途中の充電端子１０８の側面図が示されている。
【０１０１】
図１５に示す充電端子１０８を製造するにあたっては、まず、メッキが付着しないＰＣ樹脂（ポリカーボネート）とメッキが付着するＡＢＳ樹脂（アクリロニトル、ブタジエン、スチレンの共重合化合物）とが２色成型されて端子基体１０８´が形成される。ＡＢＳ樹脂は、本実施形態にいう「メッキが付着する第１の材料」の一例にあたり、ＰＣ樹脂は、本実施形態にいう「メッキが付着しない第２の材料」の一例に相当する。
【０１０２】
図１６に示すように、端子基体１０８´では、図１５に示す非導電部分５２４に対応する非導電部分５２４´がＰＣ樹脂で形成されており、電池接点５２１、バイブレータ接点５２２、および接続部分５２３に対応する導電部分５２１´、５２２´、５２３´がＡＢＳ樹脂で形成されている。
【０１０３】
続いて、端子基体１０８´にメッキ加工が施される。その結果、ＰＣ樹脂で形成された非導電部分５２４´にはメッキが付着せず、ＡＢＳ樹脂で形成された導電部分５２１´、５２２´、５２３´にのみメッキが付着し、充電端子１０８が形成される。
【０１０４】
このように、メッキが付着する樹脂とメッキが付着しない樹脂とを２色成型して端子基体を生成し、その端子基体にメッキ加工を施して端子を形成することによって、導電性に優れ、均一な厚さの端子を生成することができる。
【０１０５】
図１７は、メッキ加工が施された後の充電端子１０８を示す図である。
【０１０６】
図１７（Ａ）には、メッキ加工が施された直後の充電端子１０８が示されており、図１７（Ｂ）には、Ｏリング６００が装着された後の充電端子１０８が示されている。
【０１０７】
図１７に示すように、端子基体１０８´のうち、ＡＢＳ樹脂で形成された導電部分５２１´、５２２´、５２３´にメッキが付着して、電池接点５２１、バイブレータ接点５２２、および接続部分５２３が形成される。端子基体１０８´のうち、ＰＣ樹脂で形成された非導電部分５２４´にはメッキが付着していない。
【０１０８】
また、電池接点５２１は突出しており、その突出した電池接点５２１を取り囲むようにＯリング６００が取り付けられている。
【０１０９】
図１８は、充電端子１０８が装着された下部筐体１００Ｂを幅方向に切断したときの断面図である。
【０１１０】
図１８に示すように、充電端子１０８の電池接点５２１は、固定ケース５３０の開口部５３１に嵌め込まれており、その電池接点５２１は携帯電話機１００の下部筐体１００Ｂから露出している。しかし、その開口部５３１と電池接点５２１との間の隙間がＯリング６００によって塞がれているため、下部筐体１００Ｂ内部への浸水が確実に防止されている。
【０１１１】
また、充電端子１０８のバイブレータ接点５２２は、着信時などに携帯電話機１００を振動させるバイブレータ７００と接続されている。充電端子１０８に、充電用の接点とバイブレータ７００用の接点とが設けられることによって、部品数を減少させ、製造コストや装置の大型化を抑えることができる。
【０１１２】
図１９は、下部筐体１００Ｂの裏面を示す図である。
【０１１３】
本実施形態の携帯電話機１００によると、導電性に優れ、均一な厚みの端子を生成することができるため、防水部材（Ｏリング６００）の厚さや接着面を抑えることができ、装置の小型化と確実な防水性とを両立させることができる。また、板金などを加工せずにプラス接点とマイナス接点とを確実に分極することができ、さらに、Ｏリング６００の接着面を減少させることができるため、充電器と接続される充電端子１０８の面積を拡大し、充電効率を向上させることができる。
【０１１４】
ここで、上記では、本発明の携帯端末装置を携帯電話に適用する例について説明したが、本発明の携帯端末装置は、ＰＤＡなどに適用してもよい。
【０１１５】
また、上記では、パネルに塗布された白色の塗料からなる光拡散透過層を備える例について説明したが、本発明の携帯端末装置は、白色以外の塗料が塗布された光拡散透過層を備えたものであってもよい。白色の塗料からなる光拡散透過層を用いることによって、光拡散効率を向上させることができるが、灰色の塗料などでも光拡散効果を得ることができる。
【０１１６】
また、上記では、筐体内に収容された充電池を蓋とカバーを使って防水する例について説明したが、本発明の携帯端末装置は、例えば、筐体内に収容された記録メディアを蓋とカバーを使って防水するものであってもよい。
【０１１７】
また、上記では、ＡＢＳ樹脂とＰＣ樹脂とを２色成型して充電端子を生成する例について説明したが、本発明の端子は、ＡＢＳ樹脂やＰＣ樹脂以外の、金メッキが付着する樹脂と金メッキが付着しない樹脂との組み合わせで生成されるものであってもよい。
【図面の簡単な説明】
【０１１８】
【図１】本発明の一実施形態が適用された携帯電話機の外観斜視図である。
【図２】上部筐体の裏面を示す図である。
【図３】下部筐体の裏面を示す図である。
【図４】携帯電話機の内部ブロック図である。
【図５】携帯電話機のヒンジ部の分解斜視図である。
【図６】ヒンジ部付近の拡大図である。
【図７】本実施形態の携帯電話機と、従来の携帯電話機の外観図である。
【図８】上部筐体の分解斜視図である。
【図９】パネルの、ケースと対向する対向面と、その対向面に貼り付けられる遮光板を示す図である。
【図１０】携帯電話機の下部筐体の、充電池１８０を覆う蓋およびカバーを取り外したときの分解斜視図である。
【図１１】蓋を開閉した状態を示す図である。
【図１２】カバーおよび下部筐体の、ロック機構付近の拡大図である。
【図１３】カバーの、下部筐体と対向する筐体対向面を示す図である。
【図１４】充電池が装着された携帯電話機を、幅方向に切断したときの断面図である。
【図１５】下部筐体の分解斜視図である。
【図１６】製造途中の充電端子を示す図である。
【図１７】メッキ加工が施された後の充電端子を示す図である。
【図１８】充電端子が装着された下部筐体を幅方向に切断したときの断面図である。
【図１９】下部筐体の裏面を示す図である。
【符号の説明】
【０１１９】
１００    携帯電話機
１００Ａ    上部筐体
１００Ｂ    下部筐体
１００Ｃ    ヒンジ部
１０１    液晶パネル
１０２    送話口
１０４    選択ボタン
１０５    プッシュボタン
１０６    受話口
１０７    遠距離アンテナ
１０８    充電端子
１０９ａ    近距離アンテナ
１０９ｂ    撮影レンズ
１１０    ＣＰＵ
１１１    ＲＯＭ
１１２    不揮発メモリ
１１３    ＲＡＭ
１２１    マイクデバイス
１２２    スピーカデバイス
１３１    表面ディスプレイデバイス
１３２    時計
１３３    裏面ディスプレイデバイス
１５１    バックライト
１４０    カメラデバイス
１４１    近距離無線デバイス
１４２    遠距離通信デバイス
１６１    キーデバイス
１６２    開閉スイッチ
１７０    メディアコントローラ
１８０    充電池
２１０    ヒンジ
２２０    ヒンジカバー
１００Ｅ    溝
１００Ｄ    ヒンジ被覆部
１００１    爪固定部
２２１    端カバー部
２２２    外周カバー部
２２３    筐体カバー部
３１０    ケース
３１１    穴
３２０    パネル
３３０    遮光板
３２１    光拡散透過層
３３１，３３２    貫通孔
３３１´    周辺部分
４１０    シャフト受部
４１１    開口部
４２０    蓋
４２１    シャフト
４２２    爪
４２３    凸部
４２３ａ    補助凸部
４２４    溝
４３０    カバー
４３０ａ    爪
４３１    貫通孔
４３２    ロック機構
４３２ａ    ロックレバー
５１０    本体基板
５１１    金属バネ
５２１    電池接点
５２２    バイブレータ接点
５２３    接続部分
５２４    基体部分
５３０    固定ケース
５３１    開口部
６００    Ｏリング
【図１】
2008130519.tif 000003
【図２】
2008130519.tif 000004
【図３】
2008130519.tif 000005
【図４】
2008130519.tif 000006
【図５】
2008130519.tif 000007
【図６】
2008130519.tif 000008
【図７】
2008130519.tif 000009
【図８】
2008130519.tif 000010
【図９】
2008130519.tif 000011
【図１０】
2008130519.tif 000012
【図１１】
2008130519.tif 000013
【図１２】
2008130519.tif 000014
【図１３】
2008130519.tif 000015
【図１４】
2008130519.tif 000016
【図１５】
2008130519.tif 000017
【図１６】
2008130519.tif 000018
【図１７】
2008130519.tif 000019
【図１８】
2008130519.tif 000020
【図１９】
2008130519.tif 000021